(57)【特許請求の範囲】
【請求項１】
太陽電池と、
前記太陽電池で発電された直流電力を所定レベルの直流電力に変換するＤＣ／ＤＣコンバータと、
前記変換された直流電力を交流電力に変換するＤＣ／ＡＣインバータと、
系統電源からの系統交流電力を直流電力に変換するＡＣ／ＤＣコンバータと、
２次電池と、
前記２次電池の充放電を制御する充放電制御部と、
前記２次電池への目標充電量を算出する充電量算出部と、
を備え、
前記充電量算出部は、一日の電力使用量の予想値に基づいて前記目標充電量を算出し、
前記充放電制御部は、前記算出された目標充電量に基づいて、深夜において、前記系統電源から前記ＡＣ／ＤＣコンバータを介して前記２次電池に充電され、昼間において、前記太陽電池から前記ＤＣ／ＤＣコンバータを介して前記２次電池に充電されるように制御し、
前記目標充電量は、初期設定値と消費パターン係数とに基づいて決定され、
前記初期設定値に対して乗算される前記消費パターン係数が負荷に合った値となるように、前記消費パターン係数はローパスフィルタによって変化させられる、
ことを特徴とする太陽光発電システム。
【請求項２】
負荷による電力使用パターンを記憶する記憶部をさらに備え、
前記充電量算出部は、前記記憶された電力使用パターンに基づいて、前記負荷への前記系統交流電力の供給量が現在の前記系統交流電力の供給量より少なくなるように、前記目標充電量を算出する
ことを特徴とする請求項１に記載の太陽光発電システム。
【請求項３】
系統交流電力の使用量を検知するセンサをさらに備え、
前記充電量算出部は、前記センサによる検知結果に応じて、前記電力使用パターンを補正する
ことを特徴とする請求項２に記載の太陽光発電システム。
【請求項４】
翌日の天気予想情報を取得する外部情報取得部をさらに備え、
前記充電量算出部は、前記取得された翌日の天気予想情報に基づいて、前記算出された目標充電量を補正する
ことを特徴とする請求項１から３のいずれか１項に記載の太陽光発電システム。
【発明の詳細な説明】
【技術分野】
【０００１】
本発明は、太陽光発電システムに関する。
【背景技術】
【０００２】
太陽光発電システムは、太陽光を受けて太陽電池が発電するシステムであるから、夜間は全く発電できず、その発電量は日射量言い換えれば天候に大きく左右される。
【０００３】
それに対して、特許文献１には、太陽光発電インバータシステムにバッテリーを設けて並列運転することが記載されている。具体的には、太陽光発電インバータシステムにおいて、太陽電池からの直流電力がＤＣ／ＤＣコンバータで定電圧化されＤＣ／ＡＣコンバータで交流電力に変換されて高速スイッチを介して負荷に供給される。この構成において、ＤＣ／ＤＣコンバータとＤＣ／ＡＣコンバータとの間の直流回路にバッテリーを接続し、バッテリーの充放電状態が電流変成器を介して制御系によって常時監視される。そして、バッテリーが充電状態にあることが検出されたときは、太陽電池から出力される直流電力を負荷に供給するとともにバッテリーに充電し、バッテリーが放電状態になったことが検出されたときは、太陽電池からの直流電力を負荷に供給するとともにバッテリーからも直流電力を負荷に供給する。これにより、特許文献１によれば、太陽光発電の出力変動をバッテリーの放電によって吸収して安定化させるので、太陽光発電からの供給電力の安定化を図ることができるとされている。
【先行技術文献】
【特許文献】
【０００４】
【特許文献１】特開平８−２２３８１６号公報
【発明の概要】
【発明が解決しようとする課題】
【０００５】
特許文献１に記載の技術では、バッテリーを含む太陽電池側からの出力が少なければ商用系統電源側から負荷に電力を供給することになると考えられる。このため、たとえば一日の中で夕方から就寝前までの電力消費が一番多くなるような時間帯において、商用系統電源側からの電力供給に大きく依存しなければならないことがあり、商用系統電源からの電力（系統交流電力）の使用が特定の時間帯の集中することがある。すなわち、系統交流電力の使用を平準化することが困難である。これにより、電気料金の割引のない時間帯に大量の系統交流電力を消費するので、電力料金が増大する可能性がある。
【０００６】
本発明は、上記に鑑みてなされたものであって、系統交流電力の使用を平準化できる太陽光発電システムを得ることを目的とする。
【課題を解決するための手段】
【０００７】
上述した課題を解決し、目的を達成するために、本発明の１つの側面にかかる太陽光発電システムは、太陽電池と、前記太陽電池で発電された直流電力を所定レベルの直流電力に変換するＤＣ／ＤＣコンバータと、前記変換された直流電力を交流電力に変換するＤＣ／ＡＣインバータと、系統交流電力を直流電力に変換するＡＣ／ＤＣコンバータと、２次電池と、前記２次電池の充放電を制御する充放電制御部と、前記２次電池への目標充電量を算出する充電量算出部とを備え、前記充電量算出部は、一日の電力使用量の予想値に基づいて前記目標充電量を算出し、前記充放電制御部は、前記算出された目標充電量に基づいて、深夜において、前記系統交流電力から前記ＡＣ／ＤＣコンバータを介して前記２次電池に充電し、昼間において、前記太陽電池から前記ＤＣ／ＤＣコンバータを介して前記２次電池に充電するように制御することを特徴とする。
【発明の効果】
【０００８】
本発明によれば、負荷による電力使用量の多い時間帯（例えば、夕方の時間帯）において、主として２次電池から負荷へ電力供給を行うので系統交流電力の使用量を低減でき、負荷による電力使用量の少ない時間帯（例えば、深夜電力時間帯）において、系統交流電力を使って２次電池に充電するので系統交流電力の使用量を必要な限度に抑えることができる。すなわち、系統交流電力の使用を平準化できる。
【図面の簡単な説明】
【０００９】
【図１】図１は、実施の形態１にかかる太陽光発電システムの構成を示す図である。
【図２】図２は、実施の形態１における電力使用パターンを示す図である。
【図３】図３は、実施の形態１における充電量算出部の構成を示す図である。
【図４】図４は、実施の形態２にかかる太陽光発電システムの構成を示す図である。
【発明を実施するための形態】
【００１０】
以下に、本発明にかかる太陽光発電システムの実施の形態を図面に基づいて詳細に説明する。なお、これらの実施の形態によりこの発明が限定されるものではない。
【００１１】
実施の形態１．
実施の形態１にかかる太陽光発電システム１００について図１を用いて説明する。図１は、太陽光発電システム１００の構成を示す図である。
【００１２】
太陽光発電システム１００は、例えば、住宅の屋根等に設置され、太陽光を受けて発電する。すなわち、太陽光発電システム１００は、太陽光を受けて太陽電池７が発電するシステムであるから、夜間は全く発電できず、その発電量は日射量言い換えれば天候に大きく左右される。太陽光発電システム１００では、そのような発電量が少ない時あるいは全く発電しない時に、商用系統電源ＳＰから電力（系統交流電力）を負荷（例えば、住宅内負荷）ＬＤに供給する。また、太陽光発電システム１００では、災害時など商用系統電源ＳＰが停止してしまう等の緊急の場合に備えて、２次電池８を付加し、２次電池８からの放電電力（直流電力）を交流電力に変換して負荷ＬＤに供給する。
【００１３】
このような２次電池８を備えた太陽光発電システム１００では、２次電池８を含む太陽電池７側から負荷ＬＤに電力を供給する場合と、商用系統電源ＳＰ側から負荷ＬＤに電力（系統交流電力）を供給する場合とを、２次電池８の充放電状態に基づいて切り換えるような制御を行うことも考えられる。
【００１４】
しかし、このような制御では、２次電池８を含む太陽電池７側からの出力が少なければ商用系統電源ＳＰ側から負荷ＬＤに電力（系統交流電力）を供給することになると考えられる。このため、たとえば一日の中で夕方から就寝前までの電力消費が一番多くなるような時間帯において、商用系統電源ＳＰ側からの電力供給に大きく依存しなければならないことがあり、商用系統電源ＳＰからの電力（系統交流電力）の使用が特定の時間帯に集中することがある。すなわち、系統交流電力の使用を平準化することが困難である。これにより、例えば、電気料金の割引のない時間帯に大量の系統交流電力を消費するので、電力料金が増大する可能性がある。
【００１５】
ここで、仮に、２次電池８を備えた太陽光発電システム１００において、売電しない場合、図２に示すように、昼間の余剰発電電力部分Ｂを２次電池８に保存し夕方のピーク消費部分Ｄにて使用する場合を考える。この場合、時刻Ｔの時点で、２次電池８には、主として、昼間の余剰発電電力部分Ｂの電力が蓄積されていることになるが、２次電池８には、まだ、電力を充電するための蓄積余裕がある場合が多い。
【００１６】
そこで、本実施の形態では、この２次電池８の余裕部分に前日の深夜電力を使用して充電部分Ｆで示すように充電し、ピーク消費部分Ｄで使用することにより、効率よく深夜電力を使用することを目指す。すなわち、電気料金の割引時間帯に系統交流電力を使用して充電し、電気料金の割引のない時間帯における系統交流電力の消費量を抑えるために、基本的な制御方法として、時刻Ｔの時点で２次電池８が満充電かそれに近い状態になるように前日の深夜電力時間帯に充電部分Ｆで示すように充電しておく。以下、具体的に説明していく。
【００１７】
太陽光発電システム１００は、図１に示すように、太陽電池７、ＤＣ／ＤＣコンバータ１、分配器１１、ＤＣ／ＡＣインバータ２、合成・分配器１２、ＡＣ／ＤＣコンバータ４、電流センサ５、及び制御回路６を備える。
【００１８】
太陽電池７は、太陽光を受けて発電し、直流電力を発生させる。太陽電池７は、発電された直流電力をＤＣ／ＤＣコンバータ１へ供給する。
【００１９】
ＤＣ／ＤＣコンバータ１は、太陽電池７により発電された直流電力を受ける。ＤＣ／ＤＣコンバータ１は、制御回路６による制御のもと、直流電力を昇圧あるいは降圧して所定レベルの直流電力に変換する。
【００２０】
例えば、ＤＣ／ＤＣコンバータ１は、リアクトル１ａとスイッチング素子１ｂとダイオード１ｃとを有する。リアクトル１ａに流れる電流は、制御回路６による制御のもと、スイッチング素子１ｂのオン時間とオフ時間とのデューティ比によって制御され、リアクトル１ａに蓄えられたエネルギーは、ダイオード１ｃを介して出力される。これにより、ＤＣ／ＤＣコンバータ１は、直流電力を所定レベルの直流電力に変換する。なお、所定レベル（電圧値）は、ＤＣ／ＡＣインバータ２が変換する交流電力のレベル（電圧値）を生成するのに適した値として設定される。
【００２１】
ＤＣ／ＤＣコンバータ１は、変換された直流電力を分配器１１へ供給する。
【００２２】
分配器１１は、直流電力をＤＣ／ＤＣコンバータ１から受ける。分配器１１は、制御回路６による制御のもと、ＤＣ／ＤＣコンバータ１から直流電力をＤＣ／ＡＣインバータ２と（充電量計３経由で）２次電池８とへ分配する。
【００２３】
すなわち、ＤＣ／ＤＣコンバータ１は、分配器１１及び充電量計３を介して接続された２次電池８への充電をも行う。
【００２４】
充電量計３は、２次電池８を目的の充電量とするための充放電制御を行うために用いられる。この充放電制御は、後述のように、制御回路６によって行われる。
【００２５】
ＤＣ／ＡＣインバータ２は、直流電力を分配器１１から受ける。ＤＣ／ＡＣインバータ２は、直流電力を交流電力に変換する。
【００２６】
例えば、ＤＣ／ＡＣインバータ２は、複数のスイッチング素子２ａ〜２ｂを有する。複数のスイッチング素子２ａ〜２ｂは、制御回路６による制御のもと、所定のタイミングでオン・オフする。これにより、ＤＣ／ＡＣインバータ２は、直流電力を交流電力に変換する。
【００２７】
合成・分配器１２は、変換された交流電力をＤＣ／ＡＣインバータ２から受け、系統交流電力を商用系統電源ＳＰから受ける。合成・分配器１２は、制御回路６による制御のもと、ＤＣ／ＡＣインバータ２と商用系統電源ＳＰとＡＣ／ＤＣコンバータ４と負荷ＬＤとの間の電力経路を制御する。
【００２８】
例えば、合成・分配器１２は、制御回路６による制御のもと、ＤＣ／ＡＣインバータ２から受けた交流電力と、商用系統電源ＳＰから受けた系統交流電力とを合成したり、交流電力を負荷ＬＤと（ＡＣ／ＤＣコンバータ４及び充電量計３経由で）２次電池８とへ分配したりする。
【００２９】
ＡＣ／ＤＣコンバータ４は、合成・分配器１２から例えば系統交流電力を受ける。ＡＣ／ＤＣコンバータ４は、例えば、系統交流電力を直流電力に変換し、２次電池８に充電させる。
【００３０】
電流センサ５は、分電盤等に設けられ、例えば電力の向きが「商用系統電源ＳＰ→太陽光発電システム１００」（買電）か、「太陽光発電システム１００→商用系統電源ＳＰ」（売電）かを検知する。
【００３１】
なお、電流センサ５は、系統交流電力の使用量を検知してもよい。すなわち、電流センサ５は、制御回路６による制御のもと、日々の電力使用パターンを検知してもよい。電流センサ５は、例えば、一日の各時刻ごとに、系統交流電力の使用量を検知してもよい。
【００３２】
制御回路６は、太陽光発電システム１００における各部を全体的に制御する。例えば、制御回路６は、図２に示すような電力使用パターンＰＣ、発電パターンＥＧを予め取得し、時刻Ｔの時点で２次電池８が満充電かそれに近い状態になるように前日の深夜電力時間帯に充電パターンＢＣに従って充電部分Ｆで示すように充電しておくように、各部を制御する。
【００３３】
例えば、制御回路６は、記憶部６２、充電量算出部６１、及び充放電制御部６３を有する。
【００３４】
記憶部６２は、例えば、電力使用パターンＰＣ及び発電パターンＥＧ（図２参照）を記憶する。電力使用パターンＰＣは、一日の各時刻ごとに、負荷ＬＤによりどのくらいの電力が消費されるのかを表す。発電パターンＥＧは、一日の各時刻ごとに、太陽電池７によりどのくらいの電力が発電されるのかを表す。
【００３５】
なお、電力使用パターンＰＣ及び発電パターンＥＧは、予め実験的に取得され記憶部６２に記憶されたものであってもよいし、電力使用パターンＰＣ及び発電パターンＥＧの少なくとも一方は、太陽光発電システム１００の運転中に制御回路６により必要に応じて補正され更新されるなどして記憶されたものであってもよい。
【００３６】
充電量算出部６１は、２次電池８への目標充電量を算出する。充電量算出部６１は、例えば、記憶部６２を参照し、一日の電力使用量を予想する。充電量算出部６１は、一日の電力使用量の予想値に基づいて、目標充電量を算出する。例えば、充電量算出部６１は、一日における負荷ＬＤへの系統交流電力の供給量が現在の系統交流電力の供給量より少なくなるように、目標充電量を算出する。充電量算出部６１は、算出された目標充電量を充放電制御部６３へ供給する。
【００３７】
なお、充電量算出部６１は、例えば、電流センサ５による検知結果に応じて、電力使用パターンＰＣを補正してもよい。
【００３８】
例えば、電力使用パターンＰＣが太陽光発電システム１００の運転中に充電量算出部６１により補正される場合、充電量算出部６１は、例えば所定の周期で、時計（図示せず）から時刻を取得し、電流センサ５から系統交流電力の使用量を取得して、時刻ごとの系統交流電力の使用量をプロットし、例えば、２４時間前から現在までの電力使用パターンＰＣを求める。充電量算出部６１は、例えば、記憶部６２に記憶された電力使用パターンＰＣと、求められた電力使用パターンＰＣとを平均化することで、補正後の電力使用パターンＰＣを求める。充電量算出部６１は、求められた電力使用パターンＰＣを記憶部６２に記憶する。
【００３９】
また、充電量算出部６１は、例えば、ＤＣ／ＤＣコンバータ１から太陽電池７による発電された電力の情報を取得して、発電パターンＥＧを補正してもよい。
【００４０】
例えば、発電パターンＥＧが太陽光発電システム１００の運転中に充電量算出部６１により補正される場合、充電量算出部６１は、例えば所定の周期で、時計（図示せず）から時刻を取得し、ＤＣ／ＤＣコンバータ１から太陽電池７による発電された電力を取得して、時刻ごとの発電された電力をプロットし、太陽電池７による発電パターンＥＧを求める。充電量算出部６１は、例えば、記憶部６２に記憶された発電パターンＥＧと、求められた発電パターンＥＧとを平均化することで、補正後の発電パターンＥＧを求める。充電量算出部６１は、求められた発電パターンＥＧを記憶部６２に記憶する。
【００４１】
充放電制御部６３は、２次電池８の充放電を制御する。例えば、充放電制御部６３は、充電量計３を介して、２次電池８の充電量を監視するとともに制御する。例えば、充放電制御部６３は、目標充電量を充電量算出部６１から取得し、目標充電量に基づいて、深夜において、商用系統電源ＳＰからＡＣ／ＤＣコンバータ４を介して２次電池８に充電され、昼間において、太陽電池７からＤＣ／ＤＣコンバータ１を介して２次電池８に充電するように各部を制御する。例えば、充放電制御部６３は、時刻Ｔの時点で２次電池８が満充
電かそれに近い状態になるように、前日の深夜電力時間帯に充電パターンＢＣに従って、充電部分Ｆで示す充電量で２次電池８を充電しておくように、各部を制御する。
【００４２】
例えば、充放電制御部６３は、深夜電力時間帯に、単位時間あたりの充電量が充電パターンＥＧに対応したものに維持されるように、充電量計３を介して２次電池８の充電量を監視しながら、商用系統電源ＳＰからＡＣ／ＤＣコンバータ４を介して２次電池８に充電させる。
【００４３】
あるいは、例えば、充放電制御部６３は、深夜電力時間帯に、充電量計３を介して２次電池８の充電量を監視しながら、充電部分Ｆで示す充電量になるまで、商用系統電源ＳＰからＡＣ／ＤＣコンバータ４を介して２次電池８に充電させ、充電部分Ｆで示す充電量になったら、ＡＣ／ＤＣコンバータ４の動作を停止させたり、商用系統電源ＳＰからＡＣ／ＤＣコンバータ４への系統交流電力の供給を遮断したりする。
【００４４】
次に、図２を用いて、太陽光発電システム１００の動作を説明する。
【００４５】
昼間日射があって発電電力＞消費電力（住宅内負荷ＬＤによる）であるとき、図２の電力使用パターンＰＣと発電パターンＥＧとの重複部分Ｃに示されるように、発電された電力はまずＤＣ／ＤＣコンバータ１により所定レベルの直流電力に変換され、さらにＤＣ／ＡＣインバータ２によって交流電力に変換されて負荷ＬＤに供給される。このとき、電流センサ５で電力の向きを監視し、商用系統電源ＳＰに逆潮流しない（売電しない）ように、ＤＣ／ＡＣインバータ２が制御される。さらに、発電電力＞消費電力なので住宅内負荷ＬＤでは消費しきれない余剰電力が発生していることになり、この余剰電力（図２の余剰発電電力部分Ｂ参照）は、充放電制御部６３により２次電池８に充電される。また、このときＡＣ／ＤＣコンバータ４は例えば停止状態となっている。
【００４６】
時刻Ｔ以降になって、日射がなくなりかつ住宅内負荷ＬＤの消費電力が増えた状態においては、２次電池８からの放電電力をＤＣ／ＡＣインバータ２によって交流電力に変換し、住宅内負荷ＬＤに供給する。この間も電流センサ５の監視により、商用系統電源ＳＰに逆潮流しない（売電しない）ようにＤＣ／ＡＣインバータ２を制御する。
【００４７】
深夜電力時間帯になって２次電池８の充電量が２次電池充電目標値である所定の値以下（例えば５０％以下）であるとき、ＡＣ／ＤＣコンバータ４を動作させ、ＡＣ／ＤＣコンバータ４を介して商用系統電源ＳＰから２次電池８への充電を行う。この充電は、例えば、制御回路６の充放電制御部６３によって制御される。充放電制御部６３は、充電量算出部６１により算出された２次電池充電量（深夜電力充電）の目標値を持ち、朝の時点でその目標値になるように深夜電力を利用して充電を行う。例えば、目標値が５０％なら朝の時点で２次電池８が５０％充電完了しているようにする。
【００４８】
例えば、目標値は、Ｔ時点での充電量が満充電かそれに近い状態になるように、充電量算出部６１により算出される。このとき、図３に示すように、天候などの条件で急激に目標値が変化しないよう、充電量算出部６１では、例えば、初期設定値（固定値）６１１に対して乗算器６１２により乗算されるべき消費パターン係数（変動値）６１４が、ローパスフィルター６１５によって、緩やかに目標値へ変化させてもよい。例えば、ローパスフィルター６１５は、１ヶ月ぐらいの周期で、目標値に収束するように変化させることが望ましい。
【００４９】
消費電力は各家庭で異なるが、２次電池充電量の目標値を初期設定値６１１および消費パターン係数値６１４により決定し、その消費パターン係数６１４を昼間の買電を減らすように日々のデータを元に負荷ＬＤに合った値に徐々に変化させていくことによって、各家庭の平均的な値に収束させることが可能となる。
【００５０】
以上のように、実施の形態１では、充電量算出部６１が、一日の電力使用量の予想値に基づいて目標充電量を算出し、充放電制御部６３が、算出された目標充電量に基づいて、深夜において、商用系統電源ＳＰからＡＣ／ＤＣコンバータ４を介して２次電池８に充電され、昼間において、太陽電池７からＤＣ／ＤＣコンバータ１を介して２次電池８に充電されるように制御する。これにより、負荷ＬＤによる電力使用量の多い時間帯（例えば、夕方の時間帯）において、主として２次電池８から負荷ＬＤへ電力供給を行うので系統交流電力の使用量を低減でき、負荷ＬＤによる電力使用量の少ない時間帯（例えば、深夜電力時間帯）において、系統交流電力を使って２次電池８に充電するので系統交流電力の使用量を必要な限度に抑えることができる。すなわち、系統交流電力の使用を平準化できる。
【００５１】
したがって、例えば、電気料金の割引のない時間帯における系統交流電力の使用量を低減でき、電気料金の割引時間帯における系統交流電力の使用量を必要な限度に抑えることができるので、電力料金を大幅に節約できる。
【００５２】
また、実施の形態１では、記憶部６２が、負荷ＬＤによる電力使用パターンＰＣを記憶し、充電量算出部６１が、記憶部６２に記憶された電力使用パターンＰＣに基づいて、負荷ＬＤへの系統交流電力の供給量が現在の系統交流電力の供給量より少なくなるように、目標充電量を算出する。これにより、系統交流電力の使用を平準化できることに加えて、系統交流電力の使用量を例えば一日における電力使用パターンＰＣの全体に対して低減でき、さらに電力料金を節約できる。
【００５３】
また、実施の形態１では、例えば、電流センサ５が、系統交流電力の使用量を検知し、充電量算出部６１が、電流センサ５による検知結果に応じて、記憶部６２に記憶された電力使用パターンＰＣを補正する。これにより、負荷ＬＤの状態が変化した場合にも、それに適応するように、系統交流電力の使用を平準化できる。
【００５４】
実施の形態２．
次に、実施の形態２にかかる太陽電池システム１００ｉについて説明する。以下では、実施の形態１と異なる部分を中心に説明する。
【００５５】
実施の形態１では、例えば、図２に示す時刻Ｔの時点で２次電池８が満充電かそれに近い状態になるように、前日の深夜電力時間帯に２次電池８を充電する。
【００５６】
しかし、曇りや雨の時、Ｔ時点で満充電にならないこともあり、２次電池８の有効利用が出来ない日が発生する可能性がある。
【００５７】
そこで、実施の形態２では、これを解消するために、図４に示すように、制御回路６ｉが外部情報源ＩＳとの通信機能（外部情報取得部９ｉ）を有する。外部情報取得部９ｉは、例えばインターネット等の通信回線ＣＬ経由で翌日の天気予想情報を深夜電力時間前に入手し、充電量算出部６１へ供給する。
【００５８】
そして、充電量算出部６１は、例えば、その状況に合わせて、翌日だけ充電量の目標値を変化させる。たとえば翌日の予報が雨の場合、昼間の余剰発電電力部分Ｂが望めない為、翌日の目標充電量を例えば１００％に変更する。これにより、充放電制御部６３は、例えば、深夜電力で２次電池８を満充電しておき、翌日の消費時間帯に消費部分Ｃ、Ｄで使用する（図２参照）ように、各部を制御する。
【００５９】
このように、実施の形態２では、充電量算出部６１が、記憶部６２に記憶された電力使用パターンＰＣに基づいて算出された目標充電量を、外部情報取得部９ｉにより取得された翌日の天気予想情報に基づいて補正する。これにより、翌日の天候が変化すると見込まれる場合にも、それに適応するように、系統交流電力の使用を平準化できる。
【産業上の利用可能性】
【００６０】
以上のように、本発明にかかる太陽光発電システムは、太陽光を用いた発電に有用である。
【符号の説明】
【００６１】
１  ＤＣ／ＤＣコンバータ
２  ＤＣ／ＡＣインバータ
３  充電量計
４  ＡＣ／ＤＣコンバータ
５  電流センサ
６、６ｉ  制御回路
７  太陽電池
８  ２次電池
９ｉ  外部情報取得部
１１  分配器
１２  合成・分配器
６１  充電量算出部
６２  記憶部
６３  充放電制御部
１００、１００ｉ  太陽光発電システム
６１１  初期設定値
６１２  乗算器
６１４  消費パターン係数
６１５  ローパスフィルター
【図１】
0005836164.tif 000002
【図２】
0005836164.tif 000003
【図３】
0005836164.tif 000004
【図４】
0005836164.tif 000005